(57)【要約】      （修正有）【課題】ワイヤレスネットワークとの通信において、電力モードを選択する移動端末及び方法を提供する。【解決手段】通信システムにおいて、移動端末２０は、複数の電力モードから電力モードを選択するロジックを備える。ロジックは、選択された電力モードについてのインジケータを含む電力モード変更要求（４１）を送信するようにモデムを制御する。ロジックは、電力モード変更応答（４２）の受信に応じて、移動端末を選択された電力モードに切り替えるように制御する。【選択図】図３
2020053985.tif 000002
【特許請求の範囲】
【請求項１】
移動端末であって、
ワイヤレスネットワーク（１０）との通信のためのモデム（２２；  ６２）と、
‐複数の電力モードから電力モードを選択し、
‐前記選択された電力モードについてのインジケータを含む電力モード変更要求（４１）を送信するように前記モデム（２２；  ６２）を制御し、及び、
‐電力モード変更応答（４２）の受信に応じて、前記移動端末（２０，  ２９）を前記選択された電力モードに切り替えるように制御する、
ように構成されるロジック（２３；  ６１）と、
を備える移動端末。
【請求項２】
前記ロジック（２３；  ６１）は、アプリケーション（６３）が前記移動端末（２０，  ２９）により実行される間の前記移動端末（２０，  ２９）へのデータ転送を減少させるために、前記移動端末（２０，  ２９）により実行される前記アプリケーション（６３）に依存して、前記電力モードを選択する、ように構成される、請求項１の移動端末。
【請求項３】
前記移動端末（２０，  ２９）は、前記選択された電力モードで動作する間に、異なるRRC（Radio  Resource  Control）状態（５０‐５４）の間の切り替えを行う、ように構成される、請求項１または２の移動端末。
【請求項４】
前記選択された電力モード、及び前記複数の電力モードのうち少なくとも１つの他の電力モードは、前記移動端末（２０，  ２９）と前記通信ネットワーク（１０）との間の物理レイヤシグナリングのための異なるパラメータ設定を有する、請求項３の移動端末。
【請求項５】
前記選択された電力モード、及び前記複数の電力モードのうち少なくとも１つの他の電力モードは、異なるDRX（discontinuous  reception）パラメータ設定を有し、前記異なるDRXパラメータ設定は、
‐異なるDRX周期長、
‐異なる無活動タイマ値、及び／または、
‐異なるページング周期、
のうち少なくとも１つを含む、請求項３または４の移動端末。
【請求項６】
前記移動端末（２０，  ２９）は、前記選択された電力モードで動作する間に、アイドル状態とRRC接続状態との間の切り替えを行う、ように構成される、請求項３〜５のいずれか１項の移動端末。
【請求項７】
前記移動端末（２０，  ２９）は、RRC接続確立（RRC  Connection  Establishment）手続、またはRRC接続再構成（RRC  Connection  Reconfiguration）手続において、前記電力モード変更要求（４１）を送信する、ように構成される、請求項３〜６のいずれか１項の移動端末。
【請求項８】
ディスプレイ（２５）をさらに備え、
前記ロジック（２３；  ６１）は前記ディスプレイ（２５）がスイッチオフされているか否かに依存して前記電力モードを選択する、ように構成される、請求項１〜７のいずれか１項の移動端末。
【請求項９】
少なくとも１つのセンサ（２６）をさらに備え、
前記ロジック（２３；  ６１）は、前記ディスプレイ（２５）がスイッチオフされているか否かに依存して、及び前記少なくとも１つのセンサ（２６）の出力信号（６６）に依存して、前記電力モードを選択する、ように構成される、請求項８の移動端末。
【請求項１０】
前記ロジック（２３；  ６１）は、前記ディスプレイ（２５）がスイッチオフされている場合に、アプリケーション（６３）が前記モデム（２２；  ６２）を介するデータ送信を引き起こすのを防止する、ように構成される、請求項８または９の移動端末。
【請求項１１】
前記電力モード変更要求（４１）は、前記選択された電力モードについての前記インジケータを含む複数のインジケータビットを含む、請求項１〜１０のいずれか１項の移動端末。
【請求項１２】
前記ロジック（２３；  ６１）は、
‐前記移動端末（２０，  ２９）により受信される、さらなる電力モード変更要求（４６）に含まれる、さらなる電力モード識別子に依存して、さらなる電力モードを識別し、
‐前記さらなる電力モード変更要求（４６）の受信に応じて、さらなる電力モード変更応答（４２）を送信するように前記モデム（２２；  ６２）を制御し、及び、
‐前記さらなる電力モード変更要求（４６）の受信に応じて、前記移動端末（２０，  ２９）を前記さらなる電力モードに切り替えるように制御する、
ように構成される、請求項１〜１１のいずれか１項の移動端末。
【請求項１３】
請求項１〜１２のいずれか１項の移動端末（２０，  ２９）と、
‐前記電力モード変更要求（４１）を前記移動端末（２０，  ２９）から受信し、
‐前記電力モード変更要求（４１）内の前記インジケータに基づいて前記選択された電力モードを識別し、
‐電力モード変更応答（４２）を前記移動端末（２０，  ２９）へ送信し、及び、
‐前記選択された電力モードに基づいて前記移動端末（２０，  ２９）へのデータ転送を制御する、
ように構成される無線アクセスネットワーク（１０）と、
を備える通信システム。
【請求項１４】
移動端末（２０，  ２９）の電力モードの間の遷移を実行する方法であって、
‐前記移動端末（２０，  ２９）により、複数の電力モードから電力モードを選択すること、
‐前記移動端末（２０，  ２９）により、前記選択された電力モードについてのインジケータを含む電力モード変更要求（４１）を、ワイヤレスインタフェース（２１）上で送信すること、及び
‐電力モード変更応答（４２）の受信に応じて、前記移動端末（２０，  ２９）により、前記選択された電力モードに切り替えること、
を含む、方法。
【請求項１５】
請求項１〜１２のいずれか１項の移動端末（２０，  ２９）により実行される、請求項１４の方法。
【発明の詳細な説明】
【技術分野】
【０００１】
本発明の実施形態は、ワイヤレス通信に関する。本発明の実施形態は、特にワイヤレスネットワークとの通信のために構成される移動端末、ワイヤレスネットワーク、通信システム、及びそうした装置により実行される、上記移動端末のモデムの電力消費が制御されるような方法に関する。
【背景技術】
【０００２】
移動音声通信と移動データ通信の人気増加に伴い、高速データ通信への需要が増え続けている。通信ネットワークの現代の移動端末、例えば、スマートフォンは、高度な処理ケイパビリティを有する。移動端末は多種多様なアプリケーションを実行することが可能である。それらアプリケーションは、ソーシャルネットワーク、電子メールサービス、またはニュース更新センターもしくは天気予報のような更新クライアントを、これらに限定されることなく含む。
【０００３】
これらのアプリケーションのいくつかは、移動端末が使用されていない時でさえ動作し続ける。これらのアプリケーションのいくつかは、移動端末のスクリーンがスイッチオフされている時でさえ連続的に、または準連続的に動作し続け得る。この場合、アプリケーションは、移動端末のモデムを介してデータを送信または受信し続け得る。これはアプリケーションを実行する移動端末のプロセッサを繰り返し動作させる原因となる。さらに、モデムもまた、アプリケーションがデータを送信または受信することを可能とするために、繰り返しスイッチオンされる。これは、移動端末が使用されていない時にユーザにほんのわずかな恩恵を与えるものの、バッテリ寿命を減少させる。
【０００４】
移動端末により実行されるアプリケーションによって開始されるデータ転送に関連する電力消費の問題を軽減するために、アプリケーションによるモデムを介したメッセージの送信が制限され得る。このアプローチは、移動端末上のアプリケーションにより受信されるデータ転送の量が、効率的な方法で制御されることを可能にするのに十分ではないかもしれない。移動端末によって実行されるアプリケーションが、移動端末への大量のプッシュデータのトラフィックと関連している場合、例えば移動端末がスタンバイモードである間であっても、望ましくないながら大量のバッテリ電力が失われるかもしれない。
【０００５】
モデムの電力消費を減らすため、移動端末は様々な状態に設定され得る。例示すると、“3rd  Generation  Partnership  Project;  Technical  Specification  Group  Radio  Access  Net-work;  Radio  Resource  Control  （RRC);  Protocol  specification  （Release  11)”と題された3GPP仕様TS  ２５．３３１  V１１．５．０  （２０１３−０３）は、セクション７．１において様々なRRCの状態を定義している。移動端末は、例えばタイマが終了したときなど、自律的にこれらの状態のいくつかに移行するかもしれないが、移動端末のRRC状態またはこれらの状態間の遷移を決定する多様なパラメータは、通信ネットワークのノードによって制御される。これらの技術は、移動端末上で動作しているアプリケーションによるモデムの継続的な使用に関連する電力消費問題にそれらだけで取り組むのに、まだ十分ではないかもしれない。例示すると、移動端末上で動作するソーシャルネットワーク、電子メールサービス、またはニュースサービスは、インカミングのプッシュデータのトラフィックを受信するかもしれない。これにより、移動端末はRRC非接続であるアイドルモードから、RRC接続モードへ遷移することがある。その結果として生じるモデムの活動はバッテリ寿命を減少させる。
【発明の概要】
【発明が解決しようとする課題】
【０００６】
移動端末により実行されるアプリケーションにより引き起こされるモデムの電力消費に関連する問題を軽減する装置と方法とが、当該技術分野において引き続き必要とされている。
【課題を解決するための手段】
【０００７】
実施形態によれば、移動端末開始型の省電力モードへの電力モード切り替えが導入される。移動端末は、それが特定の省電力モードへ移行する予定であると、通信ネットワークへシグナリングし得る。通常の電力モードに加えて、電力消費を減少させる複数の電力モードの集合が定義されてもよく、また、移動端末は、移動端末が複数の省電力モードのうち、どれに移行する予定であるのかを、通信ネットワークへシグナリングしてもよい。電力消費を減少させる電力モードにおいて、移動端末はさらに、異なるRRC（Radio  Resource  Control）状態の間で、例えばアイドルモードから接続モードへ、遷移を行う、ように構成されてもよい。それぞれの電力モードに関連するパラメータ設定が、移動端末と通信ネットワークとの間のレイヤ１、レイヤ２、及び／または、レイヤ３シグナリングのパラメータを定義してもよい。
【０００８】
一実施形態による移動端末は、ワイヤレスネットワークとの通信のためのモデムを備える。前記移動端末は、複数の電力モードから電力モードを選択する、ように構成されるロジックを備える。前記ロジックは、前記選択された電力モードについてのインジケータを含む電力モード変更要求を送信するように前記モデムを制御する、ように構成される。前記ロジックは、電力モード変更応答の受信に応じて、前記移動端末を前記選択された電力モードへ移行する、ように制御する、ように構成される。
【０００９】
前記ロジックは、アプリケーションが前記移動端末により実行される間の前記移動端末へのデータ転送を減少させるために、前記移動端末により実行される前記アプリケーションに依存して、前記電力モードを選択する、ように構成されてもよい。
【００１０】
前記ロジックは、前記移動端末が使用されていない間の前記移動端末へのデータ転送を減少させるために、前記電力モードを選択する、ように構成されてもよい。前記ロジックは、前記移動端末がスタンバイモードである間の前記移動端末へのデータ転送を減少させるために、前記電力モードを選択する、ように構成されてもよい。
【００１１】
前記移動端末は前記選択された電力モードで動作する間に、異なるRRC状態の間の切り替えを行う、ように構成されてもよい。
【００１２】
前記選択された電力モードについての前記インジケータは、インジケータの有限集合から選択されてもよい。前記集合は、電力モードごとに１つの一意なインジケータを含んでもよい。前記インジケータの集合は、２つより多いインジケータを含んでもよい。前記インジケータの集合は、少なくとも４つのインジケータを含んでもよい。
【００１３】
前記選択された電力モード、及び前記複数の電力モードのうち少なくとも１つの他の電力モードは、前記移動端末と前記通信ネットワークとの間の前記無線インタフェースの第１及び／または第２レイヤシグナリングのための異なるパラメータを有してもよい。
【００１４】
前記選択された電力モード、及び前記複数の電力モードのうち少なくとも１つの他の電力モードは、前記移動端末と前記通信ネットワークとの間の前記無線インタフェースの第３レイヤシグナリングのための異なるパラメータを有してもよい。前記選択された電力モード、及び前記複数の電力モードのうち少なくとも１つの他の電力モードは、例えば、異なるDRXパラメータ設定を有してもよい。
【００１５】
前記異なるDRXパラメータ設定は、異なるDRX周期長を含んでもよい。追加的に、または代替的に、前記異なるDRXパラメータ設定は、異なる無活動タイマ値を含んでもよい。追加的に、または代替的に、前記異なるDRXパラメータ設定は、異なるページング周期を含んでもよい。
【００１６】
前記移動端末は、前記選択された電力モードで動作する間に、アイドル状態とRRC接続状態との間の切り替えを行う、ように構成されてもよい。
【００１７】
前記複数の電力モードのうち少なくとも２つの電力モードは、DRX状態の数において互いに区別されてもよい。前記ロジックは、これら少なくとも２つの電力モードのうち１つを選択してもよい。例示すると、第１の電力モードは、前記移動端末がアイドル状態である間にただ１つのDRX状態を有してもよい。第二の電力モードは、前記移動端末がアイドル状態である間に２つの異なるDRX状態を有してもよい。前記２つの異なるDRX状態は、長DRX周期のアイドルDRX状態と短DRX周期のアイドルDRX状態であってもよい。
【００１８】
前記複数の電力モードのうち少なくとも２つの電力モードは、前記ワイヤレスネットワークにアクセスする前記移動端末のための異なるプロトコル手続を有してもよい。前記ロジックはこれら少なくとも２つの電力モードのうち１つを選択してもよい。
【００１９】
前記複数の電力モードのうち少なくとも２つの電力モードは、異なる無線パラメータを有してもよい。前記複数の電力モードのうち少なくとも２つの電力モードは、異なる端末の出力電力クラスを有してもよい。これら少なくとも２つの電力モードのうち１つにおいて、送信、及び／または受信は半二重動作に制限されてもよい。前記ロジックは、これら少なくとも２つの電力モードのうち１つを選択してもよい。
【００２０】
前記複数の電力モードのうち少なくとも２つの電力モードは、異なるモビリティ管理手続を定義してもよい。例示すると、第１の電力モードは第２の電力モードよりも制限されたセル変更の可能性を有してもよい。前記ロジックは前記第１の電力モードまたは前記第２の電力モードを選択してもよい。
【００２１】
前記移動端末は、インカミングのデータ転送を処理するために、前記選択された電力モードで動作する間に、前記選択された電力モードに依存したタイミングでモデムをアクティブ化させる、ように構成されてもよい。
【００２２】
前記移動端末は、RRC接続確立（RRC  Connection  Establishment）手続、またはRRC接続再構成（RRC  Connection  Reconfiguration）手続において、前記電力モード変更要求を送信する、ように構成されてもよい。
【００２３】
前記移動端末は、ディスプレイを備えてもよい。前記ロジックは、前記ディスプレイがスイッチオフされているか否かに依存して前記電力モードを選択する、ように構成されてもよい。前記ロジックは、前記ディスプレイが少なくとも所定期間スイッチオフされているか否かに依存して前記電力モードを選択する、ように構成されてもよい。
【００２４】
前記移動端末は、少なくとも１つのセンサを備えてもよい。前記ロジックは、前記ディスプレイがスイッチオフされているか否かに依存して、及び前記少なくとも１つのセンサの出力信号に依存して、前記電力モードを選択する、ように構成されてもよい。前記少なくとも１つのセンサは、モーションセンサを含んでもよい。前記モーションセンサの前記出力信号は、前記移動端末が使用されているか否か、及び／または前記移動端末がユーザにより携行されているか否か、を判定するために、前記ロジックにより用いられてもよい。前記ロジックは、前記移動端末が使用されているか否か、及び／または前記移動端末がユーザにより携行されているか否かに基づいて、前記電力モードを選択してもよい。
【００２５】
前記ロジックは、前記ディスプレイがスイッチオフされている場合に、アプリケーションが前記モデムを介するデータ送信を引き起こすのを防止する、ように構成されてもよい。前記ロジックは、前記アプリケーションによるアウトゴーイングのデータ転送のためのモデムの使用を制限するために、前記ディスプレイが少なくとも所定期間スイッチオフされているか否かに依存して、前記アプリケーションと前記モデムとの間で前記移動端末のファイアウォールをアクティブ化させてもよい。
【００２６】
前記電力モード変更要求は、前記選択された電力モードについての前記インジケータを含む複数のインジケータビットを含んでもよい。前記電力モード変更要求は、２つのインジケータビットを含んでもよい。前記電力モード変更要求は、３つのインジケータビットを含んでもよい。結果的に、４つまで、または８つまでの異なる電力モードが定義され得る。
【００２７】
前記ロジックは、前記移動端末により受信される、さらなる電力モード変更要求に含まれる、さらなる電力モード識別子に依存して、さらなる電力モードを特定する、ように構成されてもよい。前記さらなる電力モード変更要求は、ネットワーク開始型の電力モード変更要求である。前記ロジックは、前記さらなる電力モード変更要求の受信に応じて、さらなる電力モード変更応答を送信するように前記モデムを制御する、ように構成されてもよい。前記ロジックは、前記さらなる電力モード変更要求の受信に応じて、前記移動端末を、前記さらなる電力モードへ移行するように制御する、ように構成されてもよい。これにより、前記移動端末は前記通信ネットワークにより選択された電力モードへ移行することができる。
【００２８】
前記移動端末は、ユーザ機器であってもよい。前記ユーザ機器は、LTE（Long  Term  Evolution）ネットワークとの通信のために構成されてもよい。前記移動端末は、例えばスマートフォンのような、携帯電話であってもよい。
【００２９】
前記移動端末は、M2M（machine-to-machine）端末であってもよい。前記移動端末は、前記ワイヤレスネットワークを介してM2M通信を実行する、ように構成されてもよい。
【００３０】
他の実施形態によれば、無線アクセスネットワーク（RAN）ノードが提供される。前記RANノードは、ワイヤレスインタフェースを有する。前記RANノードは、前記ワイヤレスネットワークと連結した処理デバイスを有する。前記ワイヤレスインタフェースは、電力モード変更要求を前記移動端末から受信する、ように構成される。前記処理デバイスは、前記電力モード変更要求に含まれる前記電力状態についてのインジケータに基づいて、複数の電力状態のうち、どの電力状態に移動端末が移行する予定であるかを決定する、ように構成される。前記処理デバイスは、電力モード変更応答を送信するように前記ワイヤレスインタフェースを制御する、ように構成される。
【００３１】
前記RANノードは、前記電力モード変更応答の送信後に、前記電力モード変更要求に含まれる前記電力状態についての前記インジケータに従って前記移動端末へのデータ転送を制御する、ように構成されてもよい。
【００３２】
前記RANノードは、前記電力モード変更応答の送信後に、前記電力モード変更要求に含まれる前記電力状態についての前記インジケータに従って前記移動端末におけるアプリケーションへのデータ転送の回数、及び／またはレートを減少させる、ように構成されてもよい。
【００３３】
前記RANノードは、前記電力モード変更応答の送信後に、前記移動端末についてのページング周期を調整する、ように構成されてもよい。
【００３４】
前記RANノードは、基地局であってもよい。前記RANノードは、特にNodeB、またはeNodeB（evolved  NodeB）であってもよい。
【００３５】
一実施形態による通信システムは、一実施形態の前記移動端末と、無線アクセスネットワークと、を備える。前記無線アクセスネットワークは、前記移動端末からの前記電力モード変更要求を受信する、ように構成されてもよい。前記無線アクセスネットワークは、前記電力モード変更要求に含まれる前記インジケータに基づいて、前記選択された電力モードを特定する、ように構成されてもよい。前記無線アクセスネットワークは、前記移動端末に電力モード変更応答を送信する、ように構成されてもよい。前記無線アクセスネットワークは、前記選択された電力モードに基づいて、前記移動端末へのデータ転送を制御する、ように構成されてもよい。
【００３６】
前記無線アクセスネットワークは、例えばNodeB、またはeNodeB等の、上記に示した機能を実行するように構成されるRANノードを備えてもよい。前記RANノードは、一実施形態によるRANノードであってもよい。
【００３７】
一実施形態による移動端末の電力モード間の遷移を制御する方法は、前記移動端末による複数の電力モードからの電力モードの選択を含む。前記移動端末は、ワイヤレスインタフェースを介して電力モード変更要求を送信し、前記電力モード変更要求は、前記選択された電力モードについてのインジケータを含む。電力モード変更要求の受信に応じて、前記移動端末は、前記移動端末によって前記選択された電力モードへ移行する。
【００３８】
前記電力モードは、アプリケーションが前記移動端末により実行される間の前記移動端末へのデータ転送を減少させるために、前記移動端末により実行される前記アプリケーションに依存して、選択されてもよい。
【００３９】
前記移動端末が使用されていない間の、前記移動端末により実行されるアプリケーションへの前記データ転送が、減少させられてもよい。前記移動端末がスタンバイモードである間の、前記移動端末により実行されるアプリケーションへの前記データ転送が、減少させられてもよい。
【００４０】
前記移動端末は、前記選択された電力モードで動作する間に、異なるRRC（Radio  Resource  Control）状態の間の切り替えを行ってもよい。
【００４１】
前記選択された電力モードについての前記インジケータは、電力モードごとに１つのインジケータをそれぞれ含むインジケータの有限集合から選択されてもよい。
【００４２】
記選択された電力モード、及び前記複数の電力モードのうち少なくとも１つの他の電力モードは、前記移動端末と前記通信ネットワークとの間の、レイヤ１、レイヤ２及び／またはレイヤ３シグナリングのための異なるパラメータ設定を有してもよい。
【００４３】
前記異なるDRXパラメータ設定は、異なるDRX周期長を含んでもよい。追加的に、または代替的に、前記異なるDRXパラメータ設定は、異なる無活動タイマ値を含んでもよい。追加的に、または代替的に、前記異なるDRXパラメータ設定は、異なるページング周期を含んでもよい。
【００４４】
前記方法は、前記移動端末が前記選択された電力モードで動作する間に、アイドルモードとRRC接続モードとの間の切り替えを行うこと、を含んでもよい。
【００４５】
前記方法は、受信されたデータ転送を処理するために、前記移動端末が前記選択された電力モードで動作する間に、前記選択された電力モードに依存したタイミングで前記モデムを作動させること、を含んでもよい。
【００４６】
前記電力モード変更要求は、RRC接続確立（RRC  Connection  Establishment）手続、またはRRC接続再構成（RRC  Connection  Reconfiguration）手続において、送信されてもよい。
【００４７】
前記電力モードは、前記ディスプレイがスイッチオフされているか否かに依存して、選択されてもよい。前記電力モードは、前記ディスプレイが少なくとも所定期間スイッチオフされているか否かに依存して選択されてもよい。
【００４８】
前記電力モードは、前記ディスプレイがスイッチオフされているか否かに依存して、及び前記少なくとも１つのセンサの出力信号に依存して、選択されてもよい。前記少なくとも１つのセンサは、モーションセンサを含んでもよい。前記モーションセンサの前記出力信号は、前記移動端末が使用されているか否か、及び／または前記移動端末がユーザにより携行されているか否か、を判定するために解析されてもよい。前記電力モードは、前記移動端末が使用されているか否か、及び／または前記移動端末がユーザにより携行されているか否か、に基づいて選択されてもよい。
【００４９】
前記方法は、前記ディスプレイがスイッチオフされている場合に、アプリケーションが前記モデムを介するデータ送信を引き起こすのを防止すること、をさらに含んでもよい。前記アプリケーションと前記モデムとの間のファイアウォールは、前記アプリケーションによるアウトゴーイングのデータ転送のためのモデムの使用を制限するために、前記ディスプレイが少なくとも所定期間スイッチオフされているか否かに依存してアクティブ化させられてもよい。
【００５０】
前記電力モード変更要求は、前記選択された電力モードについての前記インジケータを含む複数のインジケータビットを含んでもよい。前記電力モード変更要求は、２つのインジケータビットを含んでもよい。前記電力モード変更要求は、３つのインジケータビットを含んでもよい。結果的に、４つまで、または８つまでの異なる電力モードが定義され得る。
【００５１】
前記方法は、前記移動端末により受信される、さらなる電力モード変更要求に含まれる、さらなる電力モード識別子に依存して、さらなる電力モードを特定すること、を含んでもよい。前記方法は、前記さらなる電力モード変更要求の受信に応じて、さらなる電力モード変更応答を送信するように前記モデムを制御すること、を含んでもよい。前記方法は、前記さらなる電力モード変更要求の受信に応じて、前記移動端末を、前記さらなる電力モードへ移行するように制御すること、を含んでもよい。これにより、前記移動端末は前記通信ネットワークにより選択された電力モードへ移行することができる。
【００５２】
前記方法は、一実施形態の前記移動端末により実行されてもよい。
【発明の効果】
【００５３】
実施形態による装置、及び方法によれば、移動端末は、通常の完全に動作している電力モードよりも低い電力消費である何らかの電力モードへの遷移を開始することができる。前記移動端末において実行されるアプリケーションのためのインカミングのデータ転送が、それによって、モデムの電力消費が低い電力モードを選択することにより低減され得る。前記モデムがインカミングのデータ転送を処理するためにスイッチオンされなければならない期間は減少させられ得る。バッテリ寿命は改善し得る。
【図面の簡単な説明】
【００５４】
添付図面を参照しながら、本発明の実施形態について以下に説明する。添付図面において、同一または類似の符号は同一または類似の要素を示す。
【図１】一実施形態による通信システムの概略図である。
【図２】一実施形態による方法のフローチャートである。
【図３】一実施形態による方法における移動端末及び無線アクセスネットワークノードの動作を示す図である。
【図４】一実施形態による方法における移動端末及び無線アクセスネットワークノードの動作を示す図である。
【図５】一実施形態による方法における移動端末及び無線アクセスネットワークノードの動作を示す図である。
【図６】選択された電力モードで動作する間に移動端末が切り替え得る当該移動端末の状態を示す図である。
【図７】一実施形態による移動端末の機能ユニットのブロック図表現である。
【図８】一実施形態による無線アクセスネットワークノードのブロック図表現である。
【図９】一実施形態による方法のフローチャートである。
【発明を実施するための形態】
【００５５】
本発明の例示的な実施形態について、図面を参照して説明する。いくつかの実施形態は特定の応用分野の文脈において、例えば例示的な無線アクセス技術の文脈において説明される一方、上記実施形態はこの応用分野に限定されない。特に記載のない限り、多様な実施形態の特徴は、互いに組み合わされてもよい。
【００５６】
図１は、一実施形態による通信システム１の概略図である。通信システム１は、移動端末２０を備える。通信システム１は、通信ネットワーク１０を備える。通信ネットワーク１０は無線アクセスネットワーク（RAN）を備える。無線アクセスネットワークは、複数の基地局１１〜１３を含んでもよい。基地局１１〜１３は、無線アクセスネットワーク、または通信ネットワーク１０のコアネットワーク（CN）において提供され得る他のノード１４、１５に、動作可能に接続されてもよい。通信ネットワーク１０、基地局１１〜１３、及びノード１４，１５の具体的な構成は、通信規格に依存する。例示すると、通信ネットワーク１０はGSM（Global  System  for  Mobile  Communications）ネットワークであってもよい。この場合、RANは、基地局コントローラであるノード１４，１５を含むGERAN（GSM  EDGE  Radio  Access  Network）である。通信ネットワーク１０はUMTS（Universal  Mobile  Telecommunications  System）ネットワークであってもよい。この場合、RANは、それぞれがNodeBである基地局１１〜１３、及びRNC（Radio  Network  Controller）であるノード１４、１５を含むUTRAN（UMTS  Terrestrial  Radio  Access  Network）である。通信ネットワーク１０はLTE（Long  Term  Evolution）ネットワークであってもよい。この場合、RANは、それぞれがeNodeB（evolved  Node  B）である基地局１１〜１３、及びMME（Mobility  Management  Entity）及び／またはコアネットワークにおけるS-GW（Serving  Gateway）であるノード１４、１５を含むeUTRAN（evolved  UTRAN）である。
【００５７】
移動端末２０は、少なくとも１つの無線アクセスネットワーク（RAN）と接続するための、１つのワイヤレスインタフェース２１、またはいくつかのワイヤレスインタフェース２１を有する。ワイヤレスインタフェース２１は、モデム２２を備える。モデム２２は、移動端末２０により用いられる各通信規格のために必要とされる変調と復調のそれぞれを実行する。移動端末２０は、RRC（Radio  Resource  Control）プロトコルに従って、RANとの通信のために構成されてよい。例示すると、移動端末２０は、3GPP仕様TS  ２５．３３１に従って、RANと通信するように構成されてもよい。移動端末２０は、“3rd  Generation  Partnership  Project;  Technical  Specification  Group  Radio  Access  Net-work;  Radio  Resource  Control  （RRC);  Protocol  specification  （Release  11)”と題された3GPP仕様TS  ２５．３３１  V１１．５．０  （２０１３−０３）に従って、RANとの無線通信のために構成されてもよい。代替的に、または追加的に、移動端末２０は、3GPP仕様TS  ３６．３３１に従って、RANと通信するように構成されてもよい。移動端末２０は、“3rd  Generation  Partnership  Project;  Technical  Specification  Group  Radio  Access  Network;  Evolved  Universal  Terrestrial  Radio  Access  （E-UTRA);  Radio  Resource  Control  （RRC);  Protocol  specification  （Release  11)”と題された3GPP仕様TS  ３６．３３１  V１１．３．０  （２０１３−０３）に従って、RANとの無線通信のために構成されてもよい。
【００５８】
移動端末２０は、様々な電力モードを有し得る。少なくともいくつかの電力モードにおいて、データ転送または移動端末２０により受信される他のメッセージを処理するためのモデム２２の使用は、電力消費を減少させるために制限される。モデムの低電力消費を提供するこれらの電力モードはまた、本明細書において省電力モード、または単に通常の完全に動作する電力モードよりも低い電力消費である電力モード、とも呼ばれる。
【００５９】
いくつかの、またはすべての電力モードにおいて、移動端末２０は、移動端末２０がRRC非接続状態であるアイドル状態と、RRC接続状態との間の遷移を行うように構成されてもよい。これは、低電力消費を提供する上記電力モードと、従来のDRX（discontinuous  reception）状態、または3GPP仕様TS  ２５．３３１で定義されたURA_PCH状態、CELL_PCH状態、CELL_FACH状態、及びCELL_DCH状態とを区別する。移動端末２０は、“3rd  Generation  Partnership  Project;  Technical  Specification  Group  Radio  Access  Net-work;  Radio  Resource  Control  （RRC);  Protocol  specification  （Release  11)”と題された3GPP仕様TS  ２５．３３１  V１１．５．０  （２０１３−０３）のセクション７．１、及びセクション７．２において定義された状態を有してもよく、選択された電力モードで動作する間に上記状態の間で切り替えを行ってもよい。移動端末２０は、低電力消費を提供する多様な電力モードの内の１つで動作する間、信号を受信するためにこれらの状態のうちの１つであってよく、但し、それぞれの電力モードである間に、やはりアイドル状態とRRC接続状態との間で切り替えを行うように動作可能なままである。これに対し、URA_PCH状態、CELL_PCH状態、CELL_FACH状態、及びCELL_DCH状態で動作するとき、移動端末２０は常にRRC接続モードである。
【００６０】
移動端末２０は、移動端末２０の動作を制御する処理デバイス２３を有する。処理デバイス２３は、１つのマイクロプロセッサ、いくつかのマイクロプロセッサ、１つのマイクロコントローラ、いくつかのマイクロコントローラ、ASIC（application  specific  integrated  circuit）、または上記要素の組み合わせを含んでもよい。処理デバイス２３は、図２から図９を参照してより詳細に説明するように、いくつかの電力モードのうち、どれが用いられるべきかを決定するロジックの動作を実行してもよい。
【００６１】
移動端末２０は、複数の利用可能な電力モードのうち、特定の電力モードが利用されるものとされることを要求することができるように構成される。例示すると、４つまで、または８つまでの異なる電力モードが予め定義され得る。各電力モードにインジケータが割り当てられてもよい。電力モードについての“インジケータ”という用語は、本明細書で使用される場合、当該インジケータに基づいて複数の電力モードのうちの１つが一意に識別され得るようにそれぞれの電力モードに割り当てられ得る、一意な識別子を意味する。
【００６２】
移動端末２０は、電力モード変更要求を通信ネットワーク１０へ送信するように構成される。電力モード変更要求は、移動端末２０により選択された電力モードについての一意な識別子を含むいくつかの目的ビットを含んでもよい。処理デバイス２３は、選択された電力モードについてのインジケータを含む電力モード変更要求を送信するようにワイヤレスインタフェース２１を制御してもよい。
【００６３】
通信ネットワーク１０は、電力モード変更応答を移動端末２０へ送信し得る。電力モード変更応答は、適切な電力モードであるとして、移動端末２０により前もって選択された電力モードに移動端末２０が移行してもよいことを確認する、肯定応答メッセージであってもよい。この適切な電力モードは、移動端末２０により送信された電力モード変更要求におけるインジケータにより定義される。
【００６４】
どの電力モードが適切な電力モードであるかに関する決定は、幅広い多様な手段により実行され得る。一実装において、処理デバイス２３は、移動端末２０がスタンバイモードであるか否かに依存して電力モードを選択する。電力モードは、移動端末２０がある期間スタンバイモードであったか否かに依存して選択されてもよい。電力モードは、移動端末２０のディスプレイ２５が所定期間スイッチオフされていたか否かに依存して選択されてもよい。電力モードは、移動端末２０のセンサの出力信号に依存して選択されてもよい。例示すると、移動端末２０は、モーションセンサ２６を有してもよい。モーションセンサ２６の出力信号、及び／またはディスプレイ２５がスイッチオンされているかスイッチオフされているかに関する情報に基づいて、処理デバイス２３はどの電力モードが適切なはずであるか決定してもよい。
【００６５】
処理デバイス２３は、アプリケーションをも実行し得る。少なくとも１つのアプリケーション、またはいくつかのアプリケーションは、例えば移動端末２０がスタンバイモードへ移行しているときであっても、実行され続けてもよい。上記のようなアプリケーションの例は、ソーシャルネットワーク、電子メールサービス、またはニュース更新センターもしくは天気予報のような更新クライアントを、これらに限定されることなく含む。アプリケーションは通常、ワイヤレスインタフェース２１を介して通信ネットワーク１０へデータを送信し、通信ネットワーク１０からデータを受信する。通常の電力モードよりも低い電力消費の電力モードは、通信ネットワークへ、特定の電力モードが使用されるべきであるとシグナリングすることにより、移動端末２０へのデータ転送が減少させられることを保証する。
【００６６】
どの電力モードが適切な電力モードであるかに関する決定において、移動端末２０上でどのアプリケーションが実行されているか、もまた考慮に入れられてよい。例示すると、電子メールアプリケーションが移動端末２０により実行されているとき、処理デバイス２３は、ニュース更新サービスもしくは天気予報アプリケーションだけが実行されている場合に比べて、より頻繁にデータに移動端末２０へ転送されることを許す電力モードを、選択してもよい。処理デバイス２３は、移動端末２０上で実行されるアプリケーションに依存して、どのデータトラフィックが要求されるであろうかを、予測してもよい。
【００６７】
上記様々な電力モードは、それぞれ、各電力モードにおける動作を定義する一連のパラメータ２４を有し得る。電力モードパラメータ２４は、移動端末２０に記憶されてもよい。電力モードパラメータは、パラメータまたは物理レイヤにおける機能性がどのように定義されているのかを定義してもよい。電力モードパラメータは、移動端末２０と通信ネットワーク１０との間の無線インタフェースにおける物理レイヤのパラメータを定義してもよい。追加的に、または代替的に、電力モードパラメータは、移動端末２０と通信ネットワーク１０との間のレイヤ２及び／またはレイヤ３シグナリング用のパラメータであってもよい。
【００６８】
上記様々な電力モードの具体的な定義とそれぞれのパラメータは、移動端末２０の構成に依存し得る。例示すると、携帯電話である移動端末について、上記様々な電力モードは、それぞれのモードで動作中の、移動端末がRRC非接続状態にある場合の互いに異なるDRX周期長及び／または互いに異なるページング周期の定義、に対応してもよい。さらに例示すると、上記様々な電力モードは、移動端末２０の互いに異なる出力電力クラスに対応してもよい。
【００６９】
追加的に、または代替的に、選択された電力モードは、１以上の追加のDRX周期を追加してもよい。電力モードは、例えば標準的なアイドル状態のDRXに加えて、長いDRXレベルをアイドルRRC状態に追加することもできる。
【００７０】
追加的に、または代替的に、選択された電力モードは、移動端末がワイヤレスネットワークにアクセスするための異なるプロトコル手続を定義してもよい。
【００７１】
追加的に、または代替的に、選択された電力モードは、様々な無線パラメータ、例えば１つまたはいくつかの異なる端末出力電力クラスを定義してもよく、及び／または、送受信を半二重動作に制限してもよい。
【００７２】
追加的に、または代替的に、選択された電力モードは、様々なモビリティ管理手続を定義してもよい。選択された電力モードは、移動端末において実行されることを要する測定を減少させるために、セル変更の可能性を制限、または除去してもよい。
【００７３】
通信ネットワーク１０からの電力モード切り替え応答の受信に応じて、移動端末２０が選択された電力モードに切り替わるとき、モデム２２は、各電力モードについての電力モードパラメータに依存して制御され得る。処理デバイス２３は、電力モードパラメータをメモリ２４から読み出してもよい。
【００７４】
移動端末２０は、様々な構成を有し得る。例示すると、移動端末２０は、M2M（machine-to-machine）通信端末であってもよい。移動端末２０は、通信ネットワーク１０を介して、他のM2M端末２９と通信してもよい。定義される電力モードの数、及び／または特定の電力モードパラメータは、移動端末２０の特定の構成に依存してもよい。これにより、異なるM2Mのユースケース、異なるモードのスマートフォン、非音声中心のデバイス、あるいは類似するものに向けて、物理レイヤの振る舞いを最適化することが可能となる。
【００７５】
図２は、一実施形態による方法３０のフローチャートである。方法３０は移動端末２０により実行され得る。
【００７６】
３１において、ロジックは移動端末についての最適な電力モードを決定する。選択アルゴリズムは、複数の電力モードのうち、どの電力モードが最適な電力モードであるかを決定するために採用されてもよい。一実装において、通常の完全に動作する電力モードよりも低い電力消費である電力モードが、ディスプレイ２５がオフの場合に決定されてもよい。追加の、または代わりの入力、例えば、モーションセンサの出力信号、または動作中のアプリケーションにおける情報等が、決定において用いられてもよい。
【００７７】
最適な電力モードは、移動端末２０についての、期待される未来のシグナリングニーズを満たすように識別され得る。未来のシグナリングニーズは、実行されるアプリケーションに基づいて予測され得る。各アプリケーションに関連するシグナリングにおける履歴データが、例えば、移動端末２０により収集されてもよく、未来のシグナリングニーズを予測するために使用されてもよい。代替的に、または追加的に、各アプリケーションのシグナリングニーズを定義する情報が、アプリケーションから取り出されてもよい。最適な電力モードの決定において、以前の電力モード変化が考慮に入れられてもよい。例示すると、現在の電力モードが今までのところ短期間だけアクティブである場合、ピンポン動作を防止するヒステリシス的な振る舞いを導入するため、選択アルゴリズムにおいて他の電力モードにペナルティが課せられてもよい。
【００７８】
３２において、ロジックは電力モードの変更が要求されるべきであるか否かを判定する。３１において決定された最適な電力モードが現在の電力モードとは異なる場合に、電力モードの変更が要求されてもよい。同一の電力モードが、所定期間連続して最適な電力モードとして特定される場合に、電力モードの変更が要求されてもよい。要求されるべき電力モードの変更が無いと決定される場合、方法はステップ３１に戻る。
【００７９】
電力モードの変更が要求されることになる場合に、移動端末により電力モード変更要求が送信される。電力モード変更要求は、ステップ３１において最適な電力モードとして特定される電力モードに依存する。
【００８０】
電力モード“１”が、最適な電力モードであるために、選択される場合、３３において、電力モード“１”についてのインジケータを含む電力モード変更要求が送信される。電力モード“２”が、最適な電力モードであるために、選択される場合、３４において、電力モード“２”についてのインジケータを含む電力モード変更要求が送信される。電力モード“M”が、最適な電力モードであるために、選択される場合、３５において、電力モード“M”についてのインジケータを含む電力モード変更要求が送信される。
【００８１】
電力モード変更要求を肯定的に受け入れる電力モード変更応答の受信に応じて、それぞれの電力モードへの移行が行われる。方法は、次にステップ３１に戻ってよい。
【００８２】
図３は、移動端末２０と通信ネットワークの基地局１１との間のシグナリングを示す。
【００８３】
移動端末２０は、電力モード変更要求であるメッセージ４１を送信する。電力モード変更要求は選択された電力モードについてのインジケータＰＭＩＤを含む。インジケータＰＭＩＤは、例えば、メッセージ４１の２つのインジケータビットまたは３つのインジケータビットに含まれてもよい。それにより、４つまで、または８つまでの異なる電力モードが定義され得る。
【００８４】
基地局１１は、移動端末２０がその電力モードを、メッセージ４１におけるインジケータＰＭＩＤによりインジケートされる選択された電力モードへ切り替えてもよいか否かを判定する。当該判定は、データ転送速度、及び／またはネットワーク負荷が、移動端末２０がインジケータＰＭＩＤによりインジケートされる選択された電力モードへ切り替わる場合でさえ、目標条件を満たすか否かを判定すること、を含み得る。
【００８５】
移動端末２０がその電力モードを選択された電力モードへ切り替えてもよいことを、基地局１１、または他のRANノードが決定する場合に、基地局１１、または他のRANノードは肯定応答（ack）メッセージ４２を移動端末２０に送信してもよい。メッセージ４２は、移動端末により要求された電力モードの切り替えを受け入れる電力モード変更応答である。
【００８６】
４３において、電力モードの切り替えを受け入れる電力モード変更応答の受信に応じて、移動端末２０はメッセージ４１においてインジケートされる電力モードへ、電力モードを変更する。当該変更は予め定義された時刻において生じてもよいし、トリガイベントによって引き起こされてもよい。当該変更は、肯定応答メッセージ４２が受信されたか否かに依存して、選択的に生じてもよい。
【００８７】
４４において、基地局１１、または他のRANノードは、電力モード変更要求メッセージ４１に含まれる、電力モードについてのインジケータに従って移動端末２０へのデータ転送を調整してもよい。これは、省電力消費の電力モードが選択される場合に、移動端末２０へのシグナリングを制限し得る。当該調整は、基地局１１と移動端末２０との間のシグナリングのレイヤ１において行われてもよい。当該調整は、基地局１１と移動端末２０との間のシグナリングのレイヤ２、及び／またはレイヤ３において行われてもよい。
【００８８】
図４は、移動端末２０がその電力モードを選択された電力モードへ切り替えてはならないことを、基地局１１、または他のRANノードが決定するときのシグナリングを示す。基地局１１、または他のRANノードは、否定応答（nack）メッセージ４５を移動端末２０に送信する。メッセージ４５は、移動端末により要求された電力モードの切り替えを拒否する電力モード変更応答である。
【００８９】
電力モードの切り替えを拒否する電力モード変更応答に応じて、移動端末２０はその電力モードを変更しない。移動端末２０は、しかしながら、続いて新たな電力モード変更要求を送信してもよい。いかなる電力モードの変更も実行されないため、基地局１１は、レイヤ１、レイヤ２、及び／またはレイヤ３における移動端末とのシグナリングを調整しない。
【００９０】
上記で説明された移動端末開始型の電力モード切り替えに加えて、移動端末とRANは、RAN開始型電力モード切り替えのためにもまた、構成され得る。この場合、RANは複数の電力モードのうち１つの電力モードについての識別子を含む電力モード変更要求を送信してもよい。これは図５において示される。
【００９１】
基地局１１、または他のRANノードは、さらなる電力モード変更要求であるメッセージ４６を送信する。さらなる電力モード変更要求は、基地局１１、または他のRANノードにより選択されたさらなる電力モードについてのインジケータを含む。
【００９２】
移動端末２０は、さらなる電力モードへの電力モードの切り替えが行われ得るか否かを判定する。移動端末２０は、移動端末２０が、メッセージ４６によりインジケートされるさらなる電力モードへ切り替わる場合に必要とされるデータ転送速度及び／または送信遅延が達成され得るか否か、を判定してもよい。
【００９３】
移動端末２０が要求された電力モードの切り替えを受け入れる場合、移動端末２０は、応答メッセージ４７を送信する。移動端末２０は、続いて、４３においてさらなる電力モードへ切り替わる。
【００９４】
移動端末２０が要求された電力モードの切り替えを拒否する場合、移動端末２０は、否定応答メッセージ(図５には示されない)を送信する。
【００９５】
複数の電力モードは、RRC非接続状態及びRRC接続状態と混同されてはならない。移動端末２０は、１つのそして同一の電力モードのままである間であっても、RRC非接続状態、及びRRC接続状態の間で切り替えを行ってもよい。電力モードは、例えば、個々に用いられる無線インタフェースの物理レイヤのパラメータにおいて、区別され得る。
【００９６】
図３、図４、及び図５を参照して説明されたシグナリングは、RRC接続確立（RRC  Connection  Establishment）手続の間に、またはRRC接続再構成（RRC  Connection  Reconfiguration）手続の間に、実行され得る。
【００９７】
図３、図４、及び図５を参照して説明されたシグナリングは、3GPP仕様TS  ２５．３３１において定義されるように、または3GPP仕様TS  ３６．３３１において定義されるように、RRC接続確立（RRC  Connection  Establishment）手続の間に、またはRRC接続再構成（RRC  Connection  Reconfiguration）手続の間に、実行され得る。図３、図４、及び図５を参照して説明されたシグナリングは、“3rd  Generation  Partnership  Project;  Technical  Specification  Group  Radio  Access  Net-work;  Radio  Resource  Control  （RRC);  Protocol  specification  （Release  11)”と題された3GPP仕様TS  ２５．３３１  V１１．５．０  （２０１３−０３）のセクション８.１．３において定義されるように、RRC接続確立（RRC  Connection  Establishment）手続の間に実行されてもよい。代替的に、または追加的に、図３、図４、及び図５を参照して説明されたシグナリングは、“3rd  Generation  Partnership  Project;  Technical  Specification  Group  Radio  Access  Network;  Evolved  Universal  Terrestrial  Radio  Access  （E-UTRA);  Radio  Resource  Control  （RRC);  Protocol  specification  （Release  11)”と題された3GPP仕様TS  ３６．３３１  V１１．３．０  （２０１３−０３）のセクション５．３．３またはセクション５．３．５に定義されるように、RRC接続確立（RRC  Connection  Establishment）手続の間に、またはRRC接続再構成（RRC  Connection  Reconfiguration）手続の間に、実行され得る。
【００９８】
図６は移動端末が有し得る多様なRRC状態を模式的に示す。アイドル状態５０において、移動端末２０はRRC非接続である。RRC接続状態５１において、移動端末２０はRRC接続されている。RRC接続状態は、多様なサブ状態を有し得る。サブ状態は、DRXなしアクティブ状態５２、短DRX周期状態５３、及び長DRX周期状態５４を含み得る。異なるRRC状態の間の遷移５５〜５７は、無活動タイマが終了したときに引き起こされてよい。
【００９９】
移動端末２０により選択された電力モードにおいてもなお、移動端末２０は、RRC非接続状態５０と、RRC接続状態のサブ状態を含むRRC接続状態５１との間の遷移を行うために動作可能であってよい。
【０１００】
図７は、一実施形態による移動端末の機能ブロック表現である。
【０１０１】
電力モード選択ロジック６１は、複数の電力モードのうち、どの電力モードが使用されるべきかを決定し得る。電力モード選択ロジック６１は、ディスプレイがスイッチオンされているか、スイッチオフされているか、を示す信号６５に依存して、電力モードを選択してもよい。代替的に、または追加的に、電力モード選択ロジック６２は、移動端末の動きを示す信号６６に依存して、電力モードを選択してもよい。信号６６は、モーションセンサの出力信号であってもよい。代わりの、または追加の信号が、どの電力モードが最適であるかを決定するために評価されてもよい。
【０１０２】
電力モード選択ロジック６１は、選択された電力モードについてのインジケータを含む電力モード変更要求を送信するようにモデム６２を制御し得る。電力モード選択ロジック６１は、通信ネットワークから受信された電力モード変更応答がackメッセージであるか、nackメッセージであるかを判定してもよい。当該応答に依存して、電力モード選択ロジック６１は、移動端末を選択された電力モードへ切り替えるようにモデム６２を制御してもよい。電力モードの切り替えは、移動端末と通信ネットワークとの間のレイヤ１、レイヤ２、及び／またはレイヤ３シグナリングを適応させることを含んでもよい。
【０１０３】
電力モード選択ロジック６１は、ファイアウォール６４をも、選択的に制御し得る。ファイアウォール６４は、移動端末上で動作する１つ、またはいくつかのアプリケーション６３がデータを通信ネットワークへ送信することを制限する、または防止するように動作可能である。ファイアウォール６４は、アウトゴーイングのデータ転送のための、アプリケーションによるモデムの使用を制限する。
【０１０４】
図８は、一実施形態によるRANノード７０の模式的なブロック図表現を示す。RANノード７０は、移動端末２０から電力モード変更要求を受信するためのワイヤレスインタフェース７１を有する。RANノード７０は、受信された電力モード変更要求から電力モードについてのインジケータを取り出すように構成されるコントローラ７２を有する。コントローラ７２は、移動端末２０の選択された電力モードへの電力モード切り替えが受け入れられ得るか否かを判定するように構成されてもよい。電力モード切り替えを受け入れることが可能な場合、コントローラ７２は、要求された電力モードの切り替えに対して肯定応答をするために電力モード変更応答を出力するようにワイヤレスインタフェース７１を制御する。
【０１０５】
コントローラ７２は、受信された電力モード変更要求におけるインジケータにより特定された選択された電力モードに依存して、移動端末２０への、及び移動端末２０からの、データ転送を制御するように構成される。電力モードパラメータ７３は、移動端末が選択し得る複数の電力モードの１つごとに、RANノード７０内に記憶されてもよい。異なる電力モードについての電力モードパラメータ７３は、移動端末とRANとの間のレイヤ１シグナリング用の異なるパラメータを含んでもよい。異なる電力モードについての電力モードパラメータ７３は、移動端末とRANとの間のレイヤ２シグナリング用の異なるパラメータを含んでもよい。異なる電力モードについての電力モードパラメータ７３は、移動端末とRANとの間のレイヤ３シグナリング用の異なるパラメータを含んでもよい。
【０１０６】
図９は、一実施形態による方法８０のフローチャートである。方法８０は、移動端末２０により実行され得る。方法８０は、移動端末開始型の電力モード切り替えについての１つの例示的なユースケースを示している。方法８０において、低電力消費の電力モードは、いくつかのアプリケーションが移動端末２０上で実行され続けているものの移動端末２０が使用されていない場合に、選択される。
【０１０７】
８１において、ユーザ無活動が検出される。ユーザ無活動は、入力インタフェースにおいて入力動作が実行されたか否か、または音声通信、またはデータ通信が進行中であるか否か、を判定することにより検出されてもよい。
【０１０８】
８２において、ディスプレイは遅延時間の後にスイッチオフされる。
【０１０９】
８３において、ディスプレイが所定期間スイッチオフされているか否かが判定される。ディスプレイが所定期間スイッチオフされていない場合、監視が継続され得る。ユーザ活動が検出される場合、ディスプレイは再びスイッチオンされる。ディスプレイが所定期間スイッチオフされていることが検出される場合、方法は８４に進む。
【０１１０】
８４において、アプリケーションから通信ネットワークに送信されるアウトゴーイングなデータトラフィックが制限される。アプリケーションとモデムとの間のファイアウォールは、アプリケーションによるアウトゴーイングなデータトラフィックのためのモデムの使用を制限するためにアクティブ化されてもよい。
【０１１１】
８５において、電力モード変更要求が送信される。電力モード変更要求は、選択された電力モードについてのインジケータを含む。移動端末は、ディスプレイがスイッチオフされ、かつ移動端末がユーザにより使用されていない状態に対して予測されたシグナリングニーズに基づいて電力モードを選択してもよい。
【０１１２】
８６において、選択された電力モードへの変更が承認されることを示すために、電力モード変更応答が通信ネットワークから受信されるか否か、が判定される。通信ネットワークが電力モードの切り替えを拒否する場合、方法は終了する、もしくは遅延の後にステップ８５に戻ってもよい。
【０１１３】
８７において、要求された電力モードの切り替えを受け入れる電力モード変更応答の受信に応じて、移動端末は選択された電力モードに移行する。
【０１１４】
実施形態による装置、及び方法によれば、多様な効果が得られる。例示すると、特定の電力モードが用いられることを要求する移動端末開始型のシグナリングは、移動端末によりネットワークから受信されるインカミングのデータトラフィックを効率的に制御し得る。移動端末は、選択された電力モードにおいて依然としてRRC非接続状態とRRC接続状態との間で切り替えを行うことができ、一方で移動端末とRANとの間のレイヤ１、レイヤ２及び／またはレイヤ３シグナリング用のパラメータ設定は電力モードに依存し得る。
【０１１５】
例示的な実施形態が図面を参照して説明されている一方、他の実施形態において変更が実装され得る。例示すると、ＵＥは携帯電話、M2M端末、またはさらなる他の移動端末であってもよい。さらに、例示的なネットワーク技術が説明されている一方、本発明の実施形態は他のネットワーク技術と組み合わせて用いられてもよい。
【０１１６】
多様な機能ユニットの動作は、ハードウェアにより、ソフトウェアにより実装されてもよく、またはそれらの組み合わせであってもよい。例示すると、電力モードを選択するロジックの機能は、不揮発性メモリにプログラムされた命令を実行するマイクロプロセッサ、またはマイクロコントローラにより遂行されてもよい。
【図１】
2020053985.tif 000003
【図２】
2020053985.tif 000004
【図３】
2020053985.tif 000005
【図４】
2020053985.tif 000006
【図５】
2020053985.tif 000007
【図６】
2020053985.tif 000008
【図７】
2020053985.tif 000009
【図８】
2020053985.tif 000010
【図９】
2020053985.tif 000011
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
移動端末（２０，  ２９）であって、
ワイヤレスネットワーク（１０）との通信のためのモデム（２２；  ６２）と、
‐それぞれ前記移動端末（２０，  ２９）の通常の電力モードよりも低い電力消費の前記移動端末（２０，  ２９）の複数の省電力モードから省電力モードを１つ選択し、
‐前記選択された省電力モードについてのインジケータを含む電力モード変更要求（４１）を送信し、
‐前記移動端末を予め選択された省電力モードに切り替えてもよいことを確認する電力モード変更応答（４２）の受信に応じて、前記移動端末（２０，  ２９）を前記選択された省電力モードに切り替えるように制御し、
‐前記移動端末（２０，  ２９）が前記選択された省電力モードのままである間に、前記移動端末を異なるRRC（Radio  Resource  Control）状態（５０‐５４）の間で切り替える、
ように構成されるロジック（２３；  ６１）と、
を備え、
前記移動端末（２０，  ２９）は、前記選択された省電力モードで動作する間に、アイドル状態とRRC接続状態との間の切り替えるように構成される、移動端末。
【請求項２】
前記ロジック（２３；  ６１）は、アプリケーション（６３）が前記移動端末（２０，  ２９）により実行される間の前記移動端末（２０，  ２９）へのデータ転送を減少させるために、前記移動端末（２０，  ２９）により実行される前記アプリケーション（６３）に依存して、前記省電力モードを選択するように構成される、請求項１の移動端末。
【請求項３】
前記選択された省電力モード、及び前記複数の省電力モードのうち少なくとも１つの他の省電力モードは、前記移動端末（２０，  ２９）と前記ワイヤレスネットワーク（１０）との間の物理レイヤシグナリングのための異なるパラメータ設定を有する、請求項１の移動端末。
【請求項４】
前記選択された省電力モード、及び前記複数の省電力モードのうち少なくとも１つの他の省電力モードは、異なるDRX（discontinuous  reception）パラメータ設定を有し、前記異なるDRXパラメータ設定は、
‐異なるDRX周期長、
‐異なる無活動タイマ値、及び、
‐異なるページング周期、
のうち少なくとも１つを含む、請求項１の移動端末。
【請求項５】
前記移動端末（２０，  ２９）は、RRC接続確立（RRC  Connection  Establishment）手続、またはRRC接続再構成（RRC  Connection  Reconfiguration）手続において、前記電力モード変更要求（４１）を送信するように構成される、請求項１の移動端末。
【請求項６】
ディスプレイ（２５）をさらに備え、
前記ロジック（２３；  ６１）は前記ディスプレイ（２５）がスイッチオフされているか否かに依存して前記省電力モードを選択するように構成される、請求項１の移動端末。
【請求項７】
少なくとも１つのセンサ（２６）をさらに備え、
前記ロジック（２３；  ６１）は、前記ディスプレイ（２５）がスイッチオフされているか否かに依存して、及び前記少なくとも１つのセンサ（２６）の出力信号（６６）に依存して、前記省電力モードを選択するように構成される、請求項６の移動端末。
【請求項８】
前記ロジック（２３；  ６１）は、前記ディスプレイ（２５）がスイッチオフされている場合に、アプリケーション（６３）が前記モデム（２２；  ６２）を介するデータ送信を引き起こすのを防止するように構成される、請求項６の移動端末。
【請求項９】
前記電力モード変更要求（４１）は、前記選択された省電力モードについての前記インジケータを含む複数のインジケータビットを含む、請求項１の移動端末。
【請求項１０】
前記ロジック（２３；  ６１）は、
‐前記移動端末（２０，  ２９）により受信される、さらなる電力モード変更要求（４６）に含まれる、さらなる省電力モード識別子に依存して、さらなる省電力モードを識別し、
‐前記さらなる電力モード変更要求（４６）の受信に応じて、さらなる電力モード変更応答（４２）を送信するように前記モデム（２２；  ６２）を制御し、及び、
‐前記さらなる電力モード変更要求（４６）の受信に応じて、前記移動端末（２０，  ２９）を前記さらなる省電力モードに切り替えるように制御する、
ように構成される、請求項１の移動端末。
【請求項１１】
請求項１の移動端末（２０，  ２９）と、
‐前記電力モード変更要求（４１）を前記移動端末（２０，  ２９）から受信し、
‐前記電力モード変更要求（４１）内の前記インジケータに基づいて前記選択された省電力モードを識別し、
‐電力モード変更応答（４２）を前記移動端末（２０，  ２９）へ送信し、及び、
‐前記選択された省電力モードに基づいて前記移動端末（２０，  ２９）へのデータ転送を制御する、
ように構成される無線アクセスネットワーク（１０）と、
を備える通信システム。
【請求項１２】
移動端末（２０，  ２９）の省電力モードの間の遷移を実行する方法であって、
‐前記移動端末（２０，  ２９）により、複数の省電力モードから省電力モードを１つ選択すること、
‐前記移動端末（２０，  ２９）により、前記選択された省電力モードについてのインジケータを含む電力モード変更要求（４１）を、ワイヤレスインタフェース（２１）上で送信すること、
‐前記移動端末を予め選択された省電力モードに切り替えてもよいことを確認する電力モード変更応答（４２）の受信に応じて、前記移動端末（２０，  ２９）により、前記選択された省電力モードに切り替えること、及び
‐前記移動端末が前記選択された省電力モードのままである間に、前記移動端末を異なるRRC（Radio  Resource  Control）状態（５０‐５４）の間で切り替えること
を含み、
前記移動端末の切り替えにおいて、前記移動端末（２０，  ２９）は、前記選択された省電力モードで動作する間に、アイドル状態とRRC接続状態との間の切り替えを行うように構成される、方法。